(57)【要約】【課題】グリル扉がグリル庫の前面開口を閉じた状態と、グリル皿が引き出された状態との何れであっても確実に保持することが可能であるにも拘らず、磁石の数量を削減してコストを低減することができ、しかもレールをコンパクトに構成したグリルを提供する。【解決手段】先端にグリル扉４が連結されてグリル扉４及び皿受け枠を介してグリル皿を引き出し可能とする可動レール２６と、可動レール２６を摺動自在に支持し、グリル皿の引き出し方向に沿って延設された固定レール２４とを設ける。可動レール２４の所定位置に可動側磁石３１を設ける。グリル扉４が閉じたとき可動側磁石３１に対向する固定側磁石３０を設ける。グリル皿が引き出されたとき、可動側磁石３１に対向する磁性体の被吸引部材３２を設ける。【選択図】図６
2010025502.tif 000002
【特許請求の範囲】
【請求項１】
グリル庫内に収納されるグリル皿と、該グリル皿を支持してグリル庫の前方に引き出し自在の皿受け枠と、該皿受け枠に連結されてグリル庫の前面開口を閉じるグリル扉とを備えるグリルにおいて、
グリル庫の両側外部に位置し、先端にグリル扉が連結されてグリル扉及び皿受け枠を介してグリル皿を引き出し可能とする可動レールと、
該可動レールとグリル庫の側壁との間に固定されて可動レールを摺動自在に支持し、グリル皿の引き出し方向に沿って延設された固定レールと、
前記可動レールの所定位置に設けられた可動側磁石と、
前記グリル扉がグリル庫の前面開口を閉じたとき、前記可動側磁石に対向する位置に設けられた固定側磁石と、
前記グリル皿が引き出されたとき、前記可動側磁石に対向する位置に設けられた磁性体の被吸引部材とを備え、
前記可動側磁石と前記固定側磁石とは、互いに異極で対向して互いの磁力吸引によりグリル扉の閉じた状態を保持し、前記可動側磁石と前記被吸引部材とは、該被吸引部材に対する可動側磁石の磁力吸引によりグリル皿の引き出し状態を保持することを特徴とするグリル。
【請求項２】
前記固定側磁石は、前記固定レールに設けられて、グリル庫側と反対側の面が可動側磁石との対向面とされ、
前記被吸引部材は、前記可動レールを介して固定レールと反対側に設けられ、
前記可動側磁石は、固定側磁石への対向面と被吸引部材への対向面とが夫々露出するように前記可動レールに貫通支持されていることを特徴とする請求項１記載のグリル。
【請求項３】
前記グリル庫の前面開口の両側に板状の外枠部材が設けられ、
該外枠部材のグリル庫側に面する内面に前記被吸引部材が設けられていることを特徴とする請求項１又は２記載のグリル。
【請求項４】
前記外枠部材は磁性金属板により形成され、
前記被吸引部材は、前記外枠部材の一部を突出させることにより形成された平坦な頂部を有する凸部であり、
該凸部の平坦な頂部が前記可動側磁石の磁力吸引を受ける対向面とされていることを特徴とする請求項３記載のグリル。
【発明の詳細な説明】
【技術分野】
【０００１】
本発明は、グリル庫内に、グリル皿を支持する皿受け枠がグリル庫の前方に引き出し自在に収納され、皿受け枠にグリル庫の前面開口を閉じるグリル扉が連結されたグリルに関する。
【背景技術】
【０００２】
従来、この種のグリルにおいては、皿受け枠をグリル庫の側壁下部に摺動自在に係合させ、皿受け枠に連結したグリル扉を手前に引くことで皿受け枠がこれに支持されるグリル皿と共にグリル庫の前方に引き出されるようにしていた。しかし、このものでは、皿受け枠をグリル庫に出し入れする際、皿受け枠がグリル庫側壁を擦って、ガタツキ音が発生し易く商品性を損なう。
【０００３】
また、皿受け枠を前後方向に移動自在に支持するガイドレールを設け、皿受け枠がグリル庫側壁を擦ることなくグリル庫に出し入れされるようにして、ガタツキ音の発生を防止したグリルが知られている（特許文献１参照）。このものでは、ベアリングのようなころがり支持機能を備えたガイドレールが採用されており、グリル皿の引き出し及び収納が極めて円滑に行えるようになっている。しかし、その反面、グリル扉によりグリル庫の前面開口を閉じた状態や、グリル皿を引き出した状態が安定せず、グリル扉が不用意に開閉して使い勝手が悪い。
【０００４】
そこで、皿受け枠を前後方向に移動自在に支持するガイドレールに複数の磁石を設け、磁石同士の吸引力を利用して、グリル扉がグリル庫を閉じた状態とグリル皿を引き出した状態とを保持できるようにしたものが提案されている（特許文献２参照）。この種のものでは、図８（ａ）及び図８（ｂ）に示すように、グリル庫の側方に固定された固定レール４０と、この固定レール４０に沿ってグリル皿の引き出し方向に摺動する可動レール４１とでスライドレールが構成されている。可動レール４１の前端にはグリル扉４２が連結され、後端側には可動側磁石４３が取り付けられている。また、固定レール４０の後端側と前端側との夫々に固定側磁石４４，４５が取り付けられている。そして、可動側磁石４３と各固定側磁石４４，４５とは異極で対向するように設けられている。これにより、グリル扉４２がグリル庫を閉じたとき、図８（ａ）に示すように、可動側磁石４３が固定レール４０の後端側の固定側磁石４４に対向して互いの磁力吸引によりグリル扉４２の閉じた状態を保持し、図８（ｂ）に示すように、グリル扉４２を引いたとき、可動側磁石４３が固定レール４０の前端側の固定側磁石４５に対向して互いの磁力吸引によりグリル皿の引き出し状態を保持する。
【特許文献１】特開２００４−２６３８９９号公報
【特許文献２】特開２００６−３０８２５３号公報
【発明の開示】
【発明が解決しようとする課題】
【０００５】
しかし、可動側磁石や固定側磁石に用いられる磁石は、十分な磁力を発生し長期に亘って助力を維持するものを採用するために比較的高価である。特許文献２のものは、グリル扉の閉じた状態とグリル皿の引き出し状態との両方を保持するために、１つの可動側磁石と、２つの固定側磁石とを設ける必要がある。そして、一般的にこの種のスライドレールはグリル庫の両側に設けられるので、高価な磁石が計６つ必要となりコストが高い。また、これらの磁石の取付スペースも確保する必要があるため、スライドレールをコンパクトに形成することができない。
【０００６】
本発明は、以上の点に鑑み、グリル扉がグリル庫の前面開口を閉じた状態と、グリル皿が引き出された状態との何れであっても確実に保持することが可能であるにも拘らず、磁石の数量を削減してコストを低減することができ、しかもレールをコンパクトに構成したグリルを提供することを課題とする。
【課題を解決するための手段】
【０００７】
上記の課題を解決するために、本発明は、グリル庫内に収納されるグリル皿と、該グリル皿を支持してグリル庫の前方に引き出し自在の皿受け枠と、該皿受け枠に連結されてグリル庫の前面開口を閉じるグリル扉とを備えるグリルにおいて、グリル庫の両側外部に位置し、先端にグリル扉が連結されてグリル扉及び皿受け枠を介してグリル皿を引き出し可能とする可動レールと、該可動レールとグリル庫の側壁との間に固定されて可動レールを摺動自在に支持し、グリル皿の引き出し方向に沿って延設された固定レールと、前記可動レールの所定位置に設けられた可動側磁石と、前記グリル扉がグリル庫の前面開口を閉じたとき、前記可動側磁石に対向する位置に設けられた固定側磁石と、前記グリル皿が引き出されたとき、前記可動側磁石に対向する位置に設けられた磁性体の被吸引部材とを備え、前記可動側磁石と前記固定側磁石とは、互いに異極で対向して互いの磁力吸引によりグリル扉の閉じた状態を保持し、前記可動側磁石と前記被吸引部材とは、該被吸引部材に対する可動側磁石の磁力吸引によりグリル皿の引き出し状態を保持することを特徴とする。
【０００８】
本発明によれば、グリル庫の両側に固定レールが設けられ、固定レールの外側に可動レールが設けられ、更に可動レールの外側に被吸引部材が配設される。そして、グリル扉がグリル庫を閉じたときには、可動レールに設けた可動側磁石が、固定レールに設けた固定側磁石に対向するので、可動側磁石と固定側磁石とが互いに吸引し合って可動レールの移動が抑えられ、グリル扉の閉じた状態が保持されるので、グリル扉の不用意な開閉を防止することができる。また、グリル皿が引き出されたときには、可動レールに設けた可動側磁石が磁性体の被吸引部材に対向する。このとき、可動側磁石の磁力が被吸引部材を吸引するように作用し、これによって、可動レールの移動が抑えられるので、グリル皿が引き出された状態を安定して保持することができる。
【０００９】
このように、本発明によれば、磁性体の被吸引部材を設けたことにより１つの可動側磁石と１つの固定磁石とを設けるだけで、グリル扉がグリル庫の前面開口を閉じた状態と、グリル皿が引き出された状態との何れであっても確実に保持することができ、グリル庫の両側で磁石の数は計４つでよい。これにより、比較的高価とされる磁石の数量を削減できるだけでなく、取付工数も削減できるので、グリルの製造コストを低減することができる。
【００１０】
また、本発明において、前記固定側磁石は、前記固定レールに設けられて、グリル庫側と反対側の面が可動側磁石との対向面とされ、前記被吸引部材は、前記可動レールを介して固定レールと反対側に設けられ、前記可動側磁石は、固定側磁石への対向面と被吸引部材への対向面とが夫々露出するように前記可動レールに貫通支持されていることが好ましい。即ち、グリル扉が閉じたとき可動側磁石の一方側面が固定側磁石に対向し、グリル皿を引き出したとき可動側磁石の他方側面が被吸引部材に対向する。これにより、固定側磁石を固定レールと可動レールとの間に収納することができるだけでなく、可動側磁石を可動レールに貫通支持させることができるので、コンパクトに構成することができる。
【００１１】
また、前記グリル庫の前面開口の両側に板状の外枠部材が設けられているときには、この外枠部材のグリル庫側に面する内面に前記被吸引部材を設けることができる。即ち、外枠部材が非磁性体であるときには、磁性体の板材又はブロックを外枠部材に取り付けて前記被吸引部材とすることができる。
【００１２】
また、前記外枠部材が磁性金属板により形成されているときには、前記被吸引部材を、前記外枠部材の一部を突出させることにより形成された平坦な頂部を有する凸部とし、該凸部の平坦な頂部が前記可動側磁石の磁力吸引を受ける対向面とすることができる。このように、外枠部材を前記被吸引部材として利用することにより、構造が簡単となるだけでなく部品点数の増加を防止できて有利である。
【発明を実施するための最良の形態】
【００１３】
本発明の一実施形態を図面に基づいて説明する。図１は本発明の実施形態のグリルを組み込んだコンロを示す斜視図、図２は本実施形態のグリルの説明的側面図、図３は本実施形態のグリルの説明的断面図、図４は固定レール及び可動レールの一部を示す説明的斜視図、図５は外枠部材と可動側磁石との対向状態を示す説明図、図６は固定レール及び可動レールの作動説明図、図７は固定レール及び可動レールの他の形態の作動説明図である。
【００１４】
図１は、システムキッチンのカウンタトップ（図示せず）に組み込むビルトイン式コンロを示している。このコンロは、カウンタトップに開設した開口に落とし込むようにして設置するコンロ本体１と、コンロ本体１の上面を覆うようにしてカウンタトップに載置する天板２とを備えている。コンロ本体１には、前側の左右２個と後側の１個の計３個のコンロバーナ３が配置されると共に、グリル４が内蔵されている。そして、天板２に、これら各コンロバーナ３を臨ませる開口を形成して、各開口を囲うように五徳５を載置すると共に、天板２の後部に、グリル４用の排気口６を形成している。
【００１５】
カウンタトップの下で前方に露出するコンロ本体１の前面部分には、後述するグリル庫７の前面開口を閉じるグリル扉８とその左右の前面パネル９とが設けられている。各前面パネル９には、コンロバーナ３用とグリル４用の各操作つまみ１０，１１が設けられている。
【００１６】
グリル４は、図２に示すように、前記グリル扉８と、コンロ本体１内に設置されるグリル庫７とを備えている。グリル庫７には、図３に示すように、焼き網１２をその前後に垂設した脚片部１３を介して載置するグリル皿１４と、グリル皿１４を支持する皿受け枠１５とが収納されている。皿受け枠１５にはグリル扉８が着脱可能な状態で連結されている。そして、グリル扉８をその前面下部の把手１６（図２参照）に指を掛けて手前に引くことにより、皿受け枠１５がグリル皿１４と共にグリル庫７の前方に引き出されるようになっている。
【００１７】
グリル庫７の天井部には、上火バーナ１７が装着され、更に、上火バーナ１７を覆うようにして遮熱カバー１８が設けられている。また、グリル庫７の左右の各側壁に、焼き網１２より下方に位置させて、内方に張り出す張り出し部１９を形成し、張り出し部１９に開設した透孔２０に臨ませて下火バーナ２１を配置している。これにより、焼き網１２上の調理物を上火バーナ１７と下火バーナ２１とで上下から焼成する両面焼きグリルが構成される。
【００１８】
また、図２及び図３に示すように、グリル庫７の前面開口の左右両側には、取付底板２２に下端が連結されて起立する外枠部材２３が設けられている。この外枠部材２３は、グリル庫７をコンロ本体１に取り付けるブラケットとして設けられるが、同時に、グリル扉８を閉じたときグリル扉８の両側端面に接してグリル庫７の密封性を向上させる。更に、外枠部材２３は、磁性体の金属板により形成されていることにより、後述するように、本発明の被吸引部材として機能する。
【００１９】
図３に示すように、グリル庫７の左右の各側壁の外側には、前後方向に長手の固定レール２４が取付けられている。固定レール２４は、グリル庫７を取り付ける取付底板２２上に設けたブラケット２５に連結支持されている。固定レール２４に対し外側横方向に対向する位置には、前後方向に長手の可動レール２６が設けられている。更に、固定レール２４と可動レール２６との間には、両レール２４，２６に対しボール２７を介して前後方向に移動自在に係合する中間レール２８が設けられている。これにより、皿受け枠１５は、これらレール２４，２６，２８に案内されてグリル庫７の前方に引出し自在となり、皿受け枠１５に支持されるグリル皿１４及びグリル皿１４に載置される焼き網１２をグリル庫７の前方に引き出して、焼き網１２に被調理物を載せたり取り出したりすることができる。各レール２４，２６，２８がグリル庫７の外側に配置されるため、グリル庫７内の熱、油煙、焼き汁等が各レール２４，２６，２８に及ばなくなる。その結果、各レール２４，２６，２８が熱変形したり、各レール２４，２６，２８に油分等の汚れが付着したりせず、スムーズさを長期に亘って維持できるようになる。なお、可動レール２６は、前方に抜け出てしまうことを防止するため、図示省略したストッパにより所定の前進端位置で規制される。また、可動レール２６には、レールカバー２９が取り付けられており、このレールカバー２９が固定レール２４、中間レール２８、及び可動レール２６を覆って塵埃や汚れの付着による摺動悪化を防止している。
【００２０】
図４に示すように、固定レール２４の後端側の可動レール２６との対向面側には固定側磁石３０が取り付けられており、可動レール２６の後端側には可動側磁石３１が貫通支持されている。これにより、可動側磁石３１をコンパクトに可動レール２６に取り付けることができ、固定側磁石３０が固定レール２４と可動レール２６との間に収納されることによってもコンパクトとなる。なお、図４においては、説明の便宜上、可動レール２６を少しずらした状態を示している。
【００２１】
固定側磁石３０と、可動側磁石３１とは、グリル扉８が完全に閉じたとき（以下、閉位置という）、互いに異極で対向するように配設されている。また、皿受け枠１５を引き出して可動レール２６が前進端位置となったとき（以下、開位置という）、図５に示すように、外枠部材２３の凸部３２が対向する。凸部３２は外枠部材２３の一部をプレス成形等により突出させて形成されており、その頂部の平坦面が僅かな隙間を存して可動側磁石３１に対向する。そして、可動側磁石３１は、可動レール２６に貫通支持されていることにより、固定側磁石３０への対向面と外枠部材２３への対向面とが夫々露出している。
【００２２】
ここで、図６は、可動レール２６の閉位置と開位置とにおける可動側磁石３１、固定側磁石３０及び外枠部材２３の凸部３２（被吸引部材）の位置関係を示している。図６（ａ）に示すように、閉位置においては、可動側磁石３１と固定側磁石３０とが互いに異極で対向する。これにより、互いの磁力吸引によりグリル扉８の閉じた状態が保持される。使用者は、グリル扉８を閉じたときに、可動側磁石３１と固定側磁石３０との吸引力の作用により、完全に閉じたことを明確に感じ取ることができ、また、閉じた状態のグリル扉８は不用意に開くことがないのでグリル庫７の密封性が維持される。また、図６（ｂ）に示すように、開位置においては、可動側磁石３１が外枠部材２３の凸部３２に対向する。なお、可動側磁石３１と外枠部材２３の凸部３２との対向間隔は、可動レール２６のガタつきを考慮した上で、可動側磁石３１と外枠部材２３の凸部３２とが互いに接しない範囲で最小に設定されていることが好ましく、本実施形態においては、１mm〜３mmに設定されている。また、可動側磁石３１の磁力を凸部３２に集中させるために、外枠部材２３からの凸部３２の突出寸法は、本実施形態においては、２．５mm〜３mmとされている。
【００２３】
これにより、可動側磁石３１が外枠部材２３を吸引する状態が形成され、皿受け枠１５及びグリル皿１４の引き出し状態が保持される。使用者は、グリル扉８を開けたときに、可動側磁石３１による外枠部材２３の吸引により、完全に引き出し状態となったことを明確に感じ取ることができ、また、引き出し状態のグリル皿１４は不用意に動かないので調理物の出し入れ時の使い勝手がよい。しかも、外枠部材２３の凸部３２によって可動側磁石３１に吸引させることにより、磁石を設ける場合に比してコンパクトであり、磁石の数も左右で４つのみとすることができるのでコストを低く抑えることができる。
【００２４】
また、可動レール２６がグリル庫７から見て固定レール２４の外側に位置しているので、可動側磁石３１とグリル庫７との間には常に固定レール２４が介在して可動側磁石３１への熱伝達が阻止される。更に、固定側磁石３０においても、可動側磁石３１に対向させるために固定レール２４の可動レール２６との対向面側に取り付けられているので、可動側磁石３１とグリル庫７との間には常に固定レール２４が介在して固定側磁石３０への熱伝達が阻止される。これにより、固定側磁石３０及び可動側磁石３１に対するグリル庫７からの熱の影響が少なくなり、固定側磁石３０及び可動側磁石３１の耐久性の低下を抑制することができる。
【００２５】
なお、可動側磁石３１と固定側磁石３０とは、図７（ａ）に示すように、グリル扉８が完全に閉じたときに、可動レール２６の摺動方向に互いに位置がずれた状態で対向するように設けてもよい。即ち、固定側磁石３０に対して可動側磁石３１が前方側に位置がずれた状態でグリル扉８が完全に閉じるようにする。これにより、可動側磁石３１と固定側磁石３０とは、グリル扉８を閉じた状態であっても、可動レール２６を介してグリル扉８を閉じる方向に引き合う状態が維持されるので、グリル扉８を閉じた状態が確実に維持される。
【００２６】
また、可動側磁石３１は、図７（ｂ）に示すように、可動レール２６が停止位置まで引き出されたときに、外枠部材２３の凸部３２に対して後方側に位置がずれた状態となるように設けてもよい。これによれば、可動レール２６が引き出されて停止した状態であっても、常に可動側磁石３１の外枠部材２３の凸部３２に対する吸引方向が、可動レール２６の引き出し方向に作用するので、皿受け枠１５及びグリル皿１４の引き出し状態を安定させることができる。なお、可動側磁石３１と外枠部材２３の凸部３２とのズレ量としては、発明者による各種試験の結果によれば、可動側磁石３１の前後方向の長さのうち１／４〜２／３の範囲で凸部３２の対向面に対向する（側面視で重なり合う）ことが好ましいことを知見している。
【００２７】
また、実施形態では磁性体の外枠部材２３を採用して凸部３２を外枠部材２３に一体に設けたものを示したが、例えば、図示しないが、凸部３２に替えて、外枠部材２３における可動側磁石３１との対向位置に磁性体の板材又はブロックを取り付けて本発明の被吸引部材とすることができる。この場合には、外枠部材２３を非磁性体で形成することもでき、例えば、外枠部材２３の材料として耐熱合成樹脂、アルミニウム材、或いは非磁性のステンレス材等を採用することが可能となる。
【図面の簡単な説明】
【００２８】
【図１】本発明の実施形態のグリルを組み込んだコンロを示す斜視図。
【図２】本実施形態のグリルの説明的側面図。
【図３】本実施形態のグリルの説明的断面図。
【図４】固定レール及び可動レールの一部を示す説明的斜視図。
【図５】外枠部材と可動側磁石との対向状態を示す説明図。
【図６】固定レール及び可動レールの作動説明図。
【図７】固定レール及び可動レールの他の形態の作動説明図。
【図８】従来のスライドレールの説明図。
【符号の説明】
【００２９】
１…グリル、４…グリル扉、７…グリル庫、１４…グリル皿、１５…皿受け枠、２３…外枠部材、２４…固定レール、２６…可動レール、３０…固定側磁石、３１…可動側磁石、３２…凸部（被吸引部材）。
【図３】
2010025502.tif 000003
【図４】
2010025502.tif 000004
【図５】
2010025502.tif 000005
【図６】
2010025502.tif 000006
【図７】
2010025502.tif 000007
【図８】
2010025502.tif 000008
【図１】
2010025502.tif 000009
【図２】
2010025502.tif 000010